(57)【要約】      （修正有）【課題】テーブルや床面に置くだけで容器本体を固定状態にでき、片手でも、ねじ蓋を回動させるだけで、ねじ蓋の開閉を楽に、かつ簡単に行なうことができるねじ蓋開閉具を提供する。【解決手段】硬質材製のベース板４と、このベース板の底面に固定され、該ベース板をテーブルや床面５に支持させる粘着材製の滑り止めシート６と、前記ベース板の平面に固定されたねじ蓋容器２の底面を滑り止め状態で支持する粘着材製の容器滑り止めシート７とでねじ蓋開閉具を構成する。粘着材製の滑り止めシート６，７には、クッション性を持たせるために多数の孔８を形成する。【選択図】図６
0003184286.tif 000002
【実用新案登録請求の範囲】
【請求項１】
硬質材製のベース板と、このベース板の底面に固定された、該ベース板をテーブルや床面の支持部に支持させる粘着材製の滑り止めシートと、前記ベース板の平面に固定されたねじ蓋容器の底面を滑り止め状態で支持する粘着材製の容器滑り止めシートとからなることを特徴とするねじ蓋開閉具。
【請求項２】
ベース板は四角形や円形状の板状で、アクリルやプラスチックが用いられ、粘着材製の滑り止めシートおよび粘着材製の容器滑り止めシートはシリコンシート、塩化ビニール系樹脂シート、オレフィン系樹脂シート、エラストマーシートのいずれかが使用され、粘着材製の容器滑り止めシートとベース板との間にはクッション材が介装されていることを特徴とする請求項１記載のねじ蓋開閉具。
【考案の詳細な説明】
【技術分野】
【０００１】
本考案はねじ蓋容器のねじ蓋を片手、老人、女性等の力の弱い人でも容易に開閉することができるねじ蓋開閉具に関する。
【背景技術】
【０００２】
従来、ねじ蓋容器のねじ蓋を開閉する時は容器本体を片手でつかみ、もう一方の手でねじ蓋をつかんで回転させて開閉を行なっていた。
【０００３】
このため、両手が使用できる人であればそれほど苦労しなくてもよいが、片手しか使用できない人には、ねじ蓋容器の開閉は難しく、両足で容器本体を押さえつけなければねじ蓋を開閉できず、大変な苦労が強いられていた。
【先行技術文献】
【特許文献】
【０００４】
【特許文献１】特開２００８−２６０５７３号公報
【特許文献２】特開２００６−６２６９３号公報
【特許文献３】特開２００４−０９９０６９号公報
【特許文献４】特開平９−２８６４４７号公報
【特許文献５】実用新案登録第３０５０１８５号公報
【考案の概要】
【考案が解決しようとする課題】
【０００５】
本考案は以上のような従来の欠点に鑑み、片手でも、ねじ蓋容器の容器本体を、ねじ蓋を押し圧する力で確実に固定状態にでき、ねじ蓋を回動させるだけで、ねじ蓋の開閉を楽で、かつ簡単に行なうことができるとともに、テーブルや床面に置くだけで使用できる、構造が簡単で、安価で、設置場所も不用なねじ蓋開閉具を提供することを目的としている。
【０００６】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００７】
上記目的を達成するために、本考案は硬質材製のベース板と、このベース板の底面に固定された、該ベース板をテーブルや床面の支持部に支持させる粘着材製の滑り止めシートと、前記ベース板の平面に固定されたねじ蓋容器の底面を滑り止め状態で支持する粘着材製の容器滑り止めシートとでねじ蓋開閉具を構成している。
【考案の効果】
【０００８】
以上の説明から明らかなように、本考案にあっては次に列挙する効果が得られる。
（１）請求項１により、テーブルや床面に置くことで、粘着材製の滑り止めシートで滑り止め状態で支持させることができるとともに、粘着材製の容器滑り止めシート上にねじ蓋容器を位置させ、ねじ蓋を押しつけながら回転させることによりねじ蓋を開閉することができる。
したがって、片手しか使用できない人でも楽にねじ蓋を開閉することができるとともに、簡単にテーブルや床面に置いて使用でき、従来のように設置スペースや設置場所が不用で、気軽に使用することができる。  
（２）前記（１）により、ベース板の底面に粘着材製の滑り止めシートを固定するとともに、平面に粘着材製の容器滑り止めシートで構成されているので、構造が簡単で、容易に製造することができ、小型、コンパクト化を図ることができる。
（３）請求項２も前記（１）、（２）と同様な効果が得られるとともに、クッション材によって、ねじ蓋容器を回動させることなく、確実に支持させることができる。
【図面の簡単な説明】
【０００９】
【図１】本考案を実施するための第１の形態の説明図。
【図２】本考案を実施するための第１の形態の平面図。
【図３】本考案を実施するための第１の形態の正面図。
【図４】本考案を実施するための第１の形態の側面図。
【図５】本考案を実施するための第１の形態の底面図。
【図６】本考案を実施するための第１の形態の使用状態の説明図。
【図７】本考案を実施するための第２の形態の説明図。
【図８】本考案を実施するための第２の形態の平面図。
【図９】本考案を実施するための第２の形態の正面図。
【図１０】本考案を実施するための第３の形態の説明図。
【図１１】本考案を実施するための第３の形態の平面図。
【図１２】本考案を実施するための第３の形態の正面図。
【考案を実施するための形態】
【００１０】
以下、図面に示す本考案を実施するための形態により、本考案を詳細に説明する。
【００１１】
図１ないし図６に示す本考案を実施するための第１の形態において、１はねじ蓋容器２のねじ蓋３を開閉することができる本考案のねじ蓋開閉具で、このねじ蓋開閉具１は四角形状のアクリルやプラスチックの硬質板材で形成されたベース板４と、このベース板４の底面全体に接着固定された、該ベース板４をテーブルや床面の支持部５に支持させる粘着材製の滑り止めシート６と、前記ベース板４の平面全体に接着固定されたねじ蓋容器２の底面を滑り止め状態で支持する粘着材製の容器滑り止めシート７とから構成されている。
【００１２】
前記粘着材製の滑り止めシート６と前記粘着材製の容器滑り止めシート７はクッション性が得られる厚さのシート材あるいは本考案の実施形態で使用しているクッション性が得られる厚さで、かつ多孔板のように多数個の孔８が形成されたシート材で、シリコン、塩化ビニール系樹脂、オレフィン系樹脂、エラストマ  のいずれかが使用されている。
上記構成のねじ蓋開閉具１は、図６で示すように、使用時にテーブルや床面の支持部５に粘着材製の滑り止めシート６が面接触するように置き、粘着材製の容器滑り止めシート７上にねじ蓋容器２を位置させ、片手９でねじ蓋容器２のねじ蓋３を押し圧しながら回動させることにより、ねじ蓋容器２はねじ蓋開閉具１の粘着材製の滑り止めシート６によって支持部５に固定され、粘着材製の容器滑り止めシート７にねじ蓋容器２の容器本体２ａが固定状態になるため、ねじ蓋３だけを回動させることとなり、容易のねじ蓋３を開閉することができる。
なお、粘着材製の滑り止めシート６と粘着材製の容器滑り止めシート７とを同じものを使用した場合には、どちらを支持部５に支持させても、同様な効果が得られる。    
【００１３】
[考案を実施するための異なる形態]
次に、図７ないし図１２に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００１４】
図７ないし図９に示す本考案を実施するための第２の形態において、前記本考案を実施するための第１の形態と主に異なる点は、ベース板４と粘着材製の容器滑り止めシート７との間にゴムやスポンジシート等のクッション材１０を固定状態で介装した点で、このようにクッション材１０を介装したねじ蓋容器の開閉具１Ａにしても、前記本考案を実施するための第１の形態と同様な作用効果が得られるとともに、クッション材１０によって、ねじ蓋容器２をより確実に固定状態で支持することができる。
【００１５】
図１０ないし図１２に示す本考案を実施するための第３の形態において、前記本考案を実施するための第２の形態と主に異なる点は、ベース板４Ａ、粘着材製の滑り止めシート６Ａ、クッション材１０Ａ、粘着材製の容器滑り止めシート７Ａを円形状に形成したものを用いた点で、このように円形状にしたねじ蓋容器開閉具１Ｂにしても、前記本考案を実施するための第２の形態と同様な作用効果が得られる。
【００１６】
なお、本考案の実施の形態では円形状のねじ蓋開閉部１Ｂについて説明したが、六角形や五角形に形成したものでああってもよい。
【産業上の利用可能性】
【００１７】
本考案は片手の不自由な人、老人、女性等の力の弱い人でもねじ蓋を開閉できるねじ蓋開閉具を製造する産業で利用される。
【符号の説明】
【００１８】
１、１Ａ、１Ｂ：ねじ蓋開具、  ２：ねじ蓋容器、
３：ねじ蓋、        ４：ベース板、
５：支持部、        
６、６Ａ：粘着材製の滑り止めシート、
７、７Ａ：粘着材製の容器滑り止めシート、
８：孔、        ９：片手、
１０、１０Ａ：クッション材。
【図１】
0003184286.tif 000003
【図２】
0003184286.tif 000004
【図３】
0003184286.tif 000005
【図４】
0003184286.tif 000006
【図５】
0003184286.tif 000007
【図６】
0003184286.tif 000008
【図７】
0003184286.tif 000009
【図８】
0003184286.tif 000010
【図９】
0003184286.tif 000011
【図１０】
0003184286.tif 000012
【図１１】
0003184286.tif 000013
【図１２】
0003184286.tif 000014